(57)【要約】【課題】マイクロ回線による多段接続を回避し、信号品質を維持しつつ中継伝送可能な地上デジタル放送中継伝送装置を提供する。【解決手段】チューナ部１２で特定チャンネルの地上デジタル放送波を選択的に受信し、復調部１３にて受信信号からデジタル放送信号（ＴＳ，ＴＭＣＣ／ＡＣ）を復調した後、復号部１４、１５で誤り訂正を施してＣＮ劣化を復元して復号し、ＴＯＴ書換処理部１６で信号処理に要するロス時間を考慮したＴＯＴ書き換えを行った後、多重化処理部１７で時分割多重することで、ＴＳ放送信号を再構成し、ＴＴＬ送信部１８からＴＴＬ波で次段中継局へ送信する。このような中継伝送装置を中間中継局に配置することで、信号品質を維持しつつ、ＴＴＬ２段中継を解消することができる。【選択図】      図２
2004194265.tif 000002
【特許請求の範囲】
【請求項１】
特定チャンネルの地上デジタル放送波を選択的に受信する受信部と、
この受信部の受信信号からデジタル放送信号を復調する復調部と、
この復調部の出力に誤り訂正を施す誤り訂正処理部と、
この誤り訂正処理部から出力されるデジタル放送信号の信号伝送形式を、制御情報を含めて再構成する再構成処理部とを具備することを特徴とする地上デジタル放送受信処理装置。
【請求項２】
前記地上デジタル放送波がＯＦＤＭ（Ｏｒｔｈｏｇｏｎａｌ  ＦｒｅｑｕｅｎｃｙＤｉｖｉｓｉｏｎ  Ｍｕｌｔｉｐｌｅｘ：直交周波数分割多重）方式であり、ガードインターバル長が複数モードの中から選択的に決められているとき、
前記受信部は、前記ガードインターバル長のモードをサーチするモードサーチ手段を備え、このモードサーチ手段のサーチ結果に基づいて同期再生処理を切替制御することを特徴とする請求項１記載の地上デジタル放送受信処理装置。
【請求項３】
前記再構成処理部は、前記制御情報中の時刻関連情報について中継伝送に要する時間相当分を補正することを特徴とする請求項１記載の地上デジタル放送受信処理装置。
【請求項４】
前記再構成処理部は、前記デジタル放送信号から制御情報及びＴＳ（Ｔｒａｎｓｐｏｒｔ  Ｓｔｒｅａｍ）を分離して再生し、制御情報の書き換え後にＴＳ再生信号に多重してＴＳ形式の放送信号に再構成することを特徴とする請求項１記載の地上デジタル放送受信処理装置。
【請求項５】
前記再構成処理部は、前記デジタル放送信号に階層情報があるとき、前記階層情報を分離して前記ＴＳ再生信号に多重することを特徴とする請求項４記載の地上デジタル放送受信処理装置。
【請求項６】
前記再構成処理部は、前記制御情報中のネットワーク関連情報、時刻関連情報を含む伝送制御情報及び番組情報を出力先の放送形態に合わせて補正することを特徴とする請求項１記載の地上デジタル放送受信処理装置。
【請求項７】
前記請求項１乃至５のいずれか記載の地上デジタル放送受信処理装置と、
前記受信処理装置により再構成された地上デジタル放送信号をＴＴＬ（Ｔｒａｎｓｍｉｔｔｅｒ  ｔｏ  Ｔｒａｎｓｍｉｔｔｅｒ  Ｌｉｎｋ：送信所間無線伝送路）波に変換して送信する送信装置とを具備することを特徴とする地上デジタル放送中継伝送装置。
【請求項８】
前記請求項１乃至５のいずれか記載の地上デジタル放送受信処理装置と、
前記受信処理装置により再構成された地上デジタル放送信号を任意の放送チャンネルのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ：直交周波数分割多重）信号に変換して送信する送信装置とを具備することを特徴とする地上デジタル放送中継伝送装置。
【請求項９】
特定チャンネルの地上デジタル放送波を選択的に受信する受信部、この受信部の受信信号からデジタル放送信号を復調する復調部、この復調部の出力に誤り訂正を施す誤り訂正処理部、及びこの誤り訂正処理部から出力されるデジタル放送信号の信号伝送形式を、制御情報を含めて再構成する再構成処理部を備える地上デジタル放送受信処理装置と、
前記受信処理装置により再構成された地上デジタル放送信号をケーブルテレビジョン放送用ＴＳ（Ｔｒａｎｓｐｏｒｔ  Ｓｔｒｅａｍ）として送出する送出装置とを具備し、
前記再構成処理部は、前記制御情報中のネットワーク関連情報、時刻関連情報を含む伝送制御情報及び番組情報をケーブルテレビジョン放送の形態に合わせて補正することを特徴とする地上デジタル放送中継伝送装置。
【請求項１０】
前記請求項１乃至６のいずれか記載の地上デジタル放送受信処理装置と、
前記受信処理装置により再構成された地上デジタル放送信号の全情報を収録する収録装置とを具備することを特徴とする放送情報記録装置。
【請求項１１】
地上デジタル放送波を直接受信してデジタル放送信号を復調し、誤り訂正し、制御情報を含めて信号伝送形式の再構成を行った後に、ＴＴＬ（Ｔｒａｎｓｍｉｔｔｅｒ  ｔｏ  Ｔｒａｎｓｍｉｔｔｅｒ  Ｌｉｎｋ：送信所間無線伝送路）波に変換して送信することを特徴とする地上デジタル放送中継伝送方法。
【請求項１２】
地上デジタル放送波を直接受信してデジタル放送信号を復調し、誤り訂正し、制御情報を含めて信号伝送形式の再構成を行った後に、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ：直交周波数分割多重）方式の放送波に変換して送信することを特徴とする地上デジタル放送中継伝送方法。
【請求項１３】
地上デジタル放送波を直接受信してデジタル放送信号を復調し、誤り訂正し、制御情報を含めてケーブルテレビジョン放送用の信号伝送形式に再構成して、ケーブルテレビジョン放送用ＴＳ（Ｔｒａｎｓｐｏｒｔ  Ｓｔｒｅａｍ）として送出することを特徴とする地上デジタル放送中継伝送方法。
【請求項１４】
前記地上デジタル放送波がＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ：直交周波数分割多重）方式であり、ガードインターバル長が複数モードの中から選択的に決められているとき、
前記地上デジタル放送波の受信時に、前記ガードインターバル長のモードをサーチし、このモードサーチ結果に基づいて同期再生処理を切替制御することを特徴とする請求項１１乃至１３のいずれかに記載の地上デジタル放送中継伝送方法。
【請求項１５】
前記再構成の処理として、前記制御情報中の時刻関連情報について中継伝送に要する時間相当分を補正することを特徴とする請求項１１乃至１３のいずれかに記載の地上デジタル放送中継伝送方法。
【請求項１６】
前記デジタル放送信号から制御情報及びＴＳ（Ｔｒａｎｓｐｏｒｔ  Ｓｔｒｅａｍ）を分離して再生し、制御情報の書き換え後にＴＳ再生信号に多重してＴＳ形式の放送信号に再構成することを特徴とする請求項１１乃至１３のいずれかに記載の地上デジタル放送中継伝送方法。
【請求項１７】
前記デジタル放送信号に階層情報があるとき、前記階層情報を分離して前記ＴＳ再生信号に多重することを特徴とする請求項１６に記載の地上デジタル放送中継伝送方法。
【請求項１８】
前記再構成の処理として、前記制御情報中のネットワーク関連情報、時刻関連情報を含む伝送制御情報及び番組情報を出力先の放送形態に合わせて補正することを特徴とする請求項１３に記載の地上デジタル放送中継伝送方法。
【発明の詳細な説明】
【０００１】
【発明の属する技術分野】
本発明は、主に地上デジタル放送の中継伝送技術に関する。
【０００２】
【従来の技術】
我が国では、近時、地上デジタル放送の開始が予定されているが、このデジタル放送ではＳＦＮ（Ｓｉｎｇｌｅ  Ｆｒｅｑｕｅｎｃｙ  Ｎｅｔｗｏｒｋｓ：単一周波数網）を前提としている。このため、中継伝送では、現状のアナログ放送のように、前段の放送を受信してチャンネルを変えて放送するという手法が使用できない。また、ＳＦＮ同士では、相互干渉を考慮して電波の送出タイミングを調整することになるが、放送波を受信し再送するまでの遅延量が前段の局からの伝送距離で決まってしまうため、その遅延量より速いタイミングに調整することは不可能である。このことから、一般には前段の放送波の受信より速いタイミングで受信可能とする別回線（ＴＴＬ（Ｔｒａｎｓｍｉｔｔｅｒ  ｔｏ  Ｔｒａｎｓｍｉｔｔｅｒ  Ｌｉｎｋ：送信所間無線伝送路））が必須になる。
【０００３】
一方、アナログ放送では、多段中継を行った場合、ノイズが増大してＣＮ比が劣化し、音声・映像の品質が低下してしまうものの、ある程度の受信レベルまでは見えなくなったり聞こえなくなったりすることはない。これに対し、デジタル放送では、ノイズが増えていくと、突然復調が不可能となり、いきなりサービス不能な状況に陥ることになる。
【０００４】
以上のことから、地上デジタル放送の中継伝送では、従来のアナログ放送のように放送波を利用するのではなく、マイクロ回線（マイクロ波帯を用いた通信回線）を利用することが想定されている。
【０００５】
しかしながら、マイクロ回線を利用する場合、関東地区のような広い放送エリアを中継伝送でカバーしようとすると、マイクロ回線を多段接続する必要が生じる。このような中継伝送では、回線数が膨大となって多大なコストがかかると共に、伝送距離が長くなるに従ってノイズによって信号品質が大きく劣化してしまい、中継先の放送に支障を来すおそれがある。
【０００６】
また、放送業務においては、放送事故発生時の原因調査などのために、実際の放送を受信して放送内容を同時収録している。従来のアナログ放送では、ＶＴＲ等によって比較的簡単に記録することができたが、デジタル放送では、同一チャンネルで複数の番組を放送したり、部分受信やデータ放送を実施したりしており、アナログ放送のように選択した番組を単純に収録するだけでは、全ての放送内容の記録を残すことはできない。
【０００７】
【発明が解決しようとする課題】
本発明は上記の事情に鑑みてなされたもので、地上デジタル放送信号を受信点で再構成することが可能な地上デジタル放送受信処理装置と、この装置を利用してマイクロ回線等の別回線による多段接続を回避し、信号品質を維持しつつ中継伝送可能な地上デジタル放送中継伝送装置及びその中継伝送方法と、上記受信処理装置を利用して受信点での放送内容を全て収録可能な放送情報記録装置、さらにはケーブルテレビジョン放送への中継伝送に対応する地上デジタル放送中継伝送装置及びその中継伝送方法を提供することを目的とする。
【０００８】
【課題を解決するための手段】
上記目的を達成するために、本発明に係る地上デジタル放送受信処理装置は、特定チャンネルの地上デジタル放送波を選択的に受信する受信部と、この受信部の受信信号からデジタル放送信号を復調する復調部と、この復調部の出力に誤り訂正を施す誤り訂正処理部と、この誤り訂正処理部から出力されるデジタル放送信号の信号伝送形式を、制御情報を含めて再構成する再構成処理部とを具備することを特徴とする。
【０００９】
また、本発明に係る地上デジタル放送中継伝送装置及びその中継伝送方法は、上記構成の地上デジタル放送受信処理装置を用いて、この受信処理装置により再構成された地上デジタル放送信号を、ＴＴＬ（Ｔｒａｎｓｍｉｔｔｅｒ  ｔｏ  Ｔｒａｎｓｍｉｔｔｅｒ  Ｌｉｎｋ：送信所間無線伝送路）波に変換して送信する、または任意の放送チャンネルのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ：直交周波数分割多重）信号に変換して送信する、または任意のケーブルテレビジョン放送用ＴＳ（Ｔｒａｎｓｐｏｒｔ  Ｓｔｒｅａｍ）に変換して送出することを特徴とする。
【００１０】
また、本発明に係る放送情報記録装置は、上記構成による地上デジタル放送受信処理装置と、この受信処理装置により再構成された地上デジタル放送信号の全情報を収録する収録装置とを具備することを特徴とする。
【００１１】
上記構成による地上デジタル放送受信処理装置によれば、地上デジタル放送波を直接受信してデジタル放送信号を復調し、誤り訂正を施してＣＮ劣化をクリアし、信号品質劣化を防止した上で、制御情報を含めて信号伝送形式を再構築することができる。このため、この受信処理装置を中継伝送装置または方法に利用することで、信号品質を損なうことなく中継伝送が可能となり、ＴＴＬ多段中継を回避することが可能となる。また、ケーブルテレビジョン放送に直接地上デジタル放送信号を提供することが可能となる。また、放送内容監視用の放送情報記録装置に利用することで、容易にかつ低コストで地上デジタル放送の全ての情報が収録可能となる。
【００１２】
【発明の実施の形態】
以下、図面を参照して本発明の実施の形態を詳細に説明する。
【００１３】
図１は本発明が適用される地上デジタル放送システムを示すもので、ここでは例として、東京タワーＡから送出されるＯＦＤＭ方式の地上デジタル放送波（例えば第２５チャンネル）を桐生中継局Ｂで受信し、ＴＴＬ波に変換して前橋中継局Ｃへ中継伝送し、前橋中継局Ｃでは、受信したＴＴＬ信号をＯＦＤＭ変調して第３３チャンネル（ＭＦＮ（Ｍｕｌｔｉ  Ｆｒｅｑｕｅｎｃｙ  Ｎｅｔｗｏｒｋｓ）割り当てチャンネル）で再送する場合を示している。
【００１４】
すなわち、上記システムの中継伝送では、地上デジタル放送波を直接受信してデジタル放送信号を復調し、誤り訂正後、制御情報を含めて信号伝送形式の再構成を行った後に、ＴＴＬ波に変換して送信することを特徴とし、東京タワーＡから桐生中継局Ｂまではデジタル放送波で伝送し、桐生中継局Ｂから前橋中継局Ｃまではマイクロ回線によるＴＴＬ波で伝送し、前橋中継局Ｃで再びＯＦＤＭ変調して地上デジタル放送波としてサービスエリア内に送出する構成となっている。
【００１５】
図２は、上記中継伝送を実現するために、桐生中継局Ｂに配置される中継伝送装置の具体的な構成を示すブロック図である。
【００１６】
図２に示す中継伝送装置は、デジタル放送受信処理部と送信・収録処理部とに大別される。
【００１７】
上記デジタル放送波受信処理部において、受信アンテナ１１で受けた受信信号はチューナ部１２に供給される。ここで、東京タワーＡの送信チャンネルである第２５チャンネルを選局し、ＩＦ帯のＯＦＤＭ信号（以下、ＯＦＤＭ−ＩＦ信号）を得る。このＯＦＤＭ−ＩＦ信号は、復調部１３に供給される。この復調部１３は、ＯＦＤＭ−ＩＦ信号をＦＦＴ（高速フーリエ変換）処理することによってデジタル放送信号を復調する。
【００１８】
この復調処理によって得られたデジタル放送信号は、番組などの放送内容であるＴＳ信号と、放送伝送制御信号であるＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号及びＡＣ（Ａｕｘｉｌｉａｒｙ  Ｃｈａｎｎｅｌ）信号の２つに分けられ、それぞれの復号部１４、１５に供給される。
【００１９】
ＴＳ信号は、ＴＳ復号部１４に供給され、誤り訂正を含めた復号が行われる。これによって伝送中にノイズやフェージング等によって損傷を受けたデータが復元される。また、ＴＳ復号部１４では、ＴＳ信号（放送波）には直接含まれない階層情報をＴＳの送信パターン等から再生成し、多重化処理部１７に供給する。また、ＴＳ信号そのものは、ＴＯＴ書換処理部１６に供給され、書き換えが必要なＴＯＴ（Ｔｉｍｅ  Ｏｆｆｓｅｔ  Ｔａｂｌｅ）の書き換えを行う。これは、本装置における処理により生じた遅延時間をＴＯＴのデータに加算するものであり、その処理後、多重化処理部１７に供給される。また、階層伝送を行う場合、遅延時間が異なる時間インターバル長を階層ごとに選択することが可能であるが、このような場合には階層ごとの時間差に応じた処理を行う。
【００２０】
一方、ＴＭＣＣ信号とＡＣ信号は、ＴＳ信号とは別の復号部１５により誤り訂正を含めた復号処理が行われ、多重化処理部１７に供給される。
【００２１】
多重化処理部１７は、再構成されたＴＳ信号、ＴＭＣＣ信号、ＡＣ信号、制御情報を時分割多重することで、日本の地上波デジタル放送方式で規定された３２．５Ｍｂｐｓの放送用ＴＳに再構成する。このとき、８．１３ＭＨｚの基準クロックとフレームパルスを受信放送波から再生し、再構成された放送用ＴＳと共に、送信・収録処理部に送られる。８．１３ＭＨｚの基準クロックは、送信・収録装置によっては、１０ＭＨｚなどの他の周波数に変換されてから送られる場合もある。
【００２２】
送信・収録処理部は、ＴＴＬ送信装置１８、ＯＦＤＭ変調・送信装置１９、放送信号収録装置２０を備え、上記多重化処理部１７で再構成された放送用ＴＳを各装置１８〜２０に分配する。
【００２３】
ＴＴＬ送信装置１８は、入力ＴＳ信号をマイクロ波帯の信号に変換し、電力増幅するもので、その出力は送信アンテナ２１からＴＴＬ波となって前橋中継局Ｃに送られる。
【００２４】
ＯＦＤＭ変調・送信装置１９は、入力ＴＳ信号をＯＦＤＭ変調し、ＳＦＮまたはＭＦＮで予め割り当てられた放送チャンネルの周波数帯に変換して電力増幅するもので、その出力は送信アンテナ２２から管轄サービスエリアに向けて送出される。
【００２５】
放送信号収録装置２０は、入力ＴＳ信号をデジタルデータのままハードディスク等の記録媒体に収録することで、再構成された制御情報を含めて放送中の全情報を収録し、放送事故発生時の原因調査などのための検証、解析が必要となったとき、種々の情報を再生可能とするものである。
【００２６】
すなわち、上記構成による中継伝送装置では、受信処理部において、地上デジタル放送波を直接受信してデジタル放送信号を復調し、誤り訂正を施してＣＮ劣化をクリアするようにしているので、伝送中に劣化した信号品質を回復させることができる。また、復調されたデジタル放送信号について、フレームごとにＴＭＣＣ信号、ＡＣ信号等の制御情報を再構築し、ＴＯＴ書き換え処理を行うようにしているので、中継伝送遅延によって受信再生時の同期再生が損なわれないようにすることができる。また、カウントダウンや緊急警報起動等のローカルな情報管理も可能となる。
【００２７】
また、放送信号に多重されている階層情報を分離して再生し、ＴＳ再生信号に再び多重するようにしているので、固定受信端末向けのベース情報だけでなく、携帯受信端末向けの付加情報をも確実に伝送することができる。
【００２８】
また、我が国のＯＦＤＭ標準化方式では、ガードインターバル長として複数のモードが規定されているが、復調時にモードサーチを行って、そのサーチ結果に基づき同期再生を切り替えるようにしているので、ＯＦＤＭ波のガードインターバル長に確実に対応することができ、復調時の誤動作発生を防止することができる。
【００２９】
前述のシステムにおいては、桐生中継局Ｂに上記構成による中継伝送装置を配置することにより、信号品質を確保し、必要な情報を多重してＴＳ方式のＴＴＬ波で再送することが可能となるので、東京タワーＡから前橋中継局ＣまでのＴＴＬ２段中継を解消することができる。このようにＴＴＬ回線を使用する必要がなくなった結果、放送事業者としてはコスト低減のメリットが得られ、行政側では、新たな無線周波数の割り当てが不要となり、電波の有効利用に貢献するメリットが得られる。
【００３０】
さらに、受信処理部で再構築されたＴＳ放送信号をＯＦＤＭ変調・送信装置１９でＯＦＤＭ信号に変換し、送信アンテナ２２からＳＦＮにより桐生サービスエリア向けに再送信することも可能である。勿論、ＯＦＤＭデジタル放送波の再送単独でも実施可能である。
【００３１】
また、桐生中継局ＢにＭＦＮチャンネルが割り当てられているとすれば、放送波を受信し、誤り訂正によりノイズ成分をクリアにした後、再多重したＴＳ放送信号を別チャンネルで送信可能である。この場合、ＭＦＮであるので、タイミング調整の必要がなく、前段の送信点との距離を考慮せずに送出可能となる。
【００３２】
同様のことが他の中継システムでも適用できる。
【００３３】
例えば、宇都宮中継局において、上記構成による中継伝送装置を用いれば、東京タワーからの第２５チャンネルを受信し、ＴＴＬで後段の矢板中継局などに送信すると共に、ＭＦＮチャンネルの割り当てにより、宇都宮中継局自身も第３４チャンネルで放送を行うことが可能となる。
【００３４】
また、水戸中継局において、上記構成による中継伝送装置を用いれば、東京タワーからの第２５チャンネルを受信し、後段の日立中継局等に向けてＴＴＬ波を送信し、水戸中継局自身で第１４チャンネルでＯＦＤＭ再送することが可能となる。この場合も、中継伝送装置にて、ノイズ等による品質劣化を改善しつつ、ＴＴＬ２段中継を解消することができる。
【００３５】
尚、上記実施形態では、ＴＴＬ２段中継の解消を目的としたが、当然ＴＴＬ多段中継の解消も可能である。
【００３６】
また、東京タワーから送出される第２５チャンネルに限定されず、他のチャンネルの地上デジタル放送についても同様に実施可能である。
【００３７】
ところで、放送事業者は、放送事故発生時には原因を調査し解明しなければならないことなどの理由で、放送内容を監視、記録する必要がある。このようなことから、従来のアナログ放送では、放送波を実際に受信して、放送内容を全てＶＴＲ等に収録するようにしている。
【００３８】
しかしながら、デジタル放送では、同一チャンネルで複数の番組を放送したり、部分受信やデータ放送を実施したりすることが予定されており、放送内容を個別に記録することは、多数の受信装置、記録装置が必要になってしまう。
【００３９】
そこで、本発明では、図２に示すように、受信処理部で再構成されたＴＳ放送信号を放送信号収録装置２０に同時収録しておくようにする。すなわち、ＴＳ放送信号には、実際に放送された情報が全て含まれており、上記放送信号収録装置２０の収録内容を再生すれば、実際の放送波を受信した場合と同様の放送信号が得られ、部分受信、データ放送を含む任意の番組を選択的に取り出すことが可能となる。
【００４０】
したがって、監視用に必要な記録装置としては、上記放送信号収録装置２０を１個用意すればよく、極めて簡単且つ低コストで対応することができる。この場合、制御情報が再構築されて保存されるため、再生時の処理は通常の受信再生処理で対応することができる。
【００４１】
尚、上記放送信号収録装置２０の設置個所は中継局に限定されるものではなく、例えば放送局舎に図２に示した受信処理部と共に設置するようにしてもよい。また、放送信号収録装置２０の単体使用も可能である。
【００４２】
また、上記実施形態では、前段からのデジタル放送波を受信復調するようにしたが、前段の中継局からＩＦ−ＴＴＬ波でＯＦＤＭ−ＩＦ信号が送られてくる場合には、図３に示すように、ＩＦ受信アンテナ２３でＩＦ−ＴＴＬ波を受信してＩＦ−ＴＴＬ受信装置２４にてＯＦＤＭ−ＩＦ信号を検波した後、図２に示した復調部１３に入力し、前述の再構成処理を行うようにしてもよい。
【００４３】
また、デジタル放送では、受信部をダイバーシチ受信化した場合の有効性が認められている。そこで、図２に示した受信処理部において、受信アンテナ１１、チューナ部１２及び復調部１３を複数系統用意し、それぞれの復調結果を例えばキャリア単位で比較して選択ダイバーシチまたは合成ダイバーシチ処理を行うことで、耐妨害特性を向上させることができる。
【００４４】
また、上記実施形態では、前段からのデジタル放送波をＴＴＬまたはＯＦＤＭで中継伝送する場合について説明したが、本発明による中継伝送装置は、ＣＡＴＶ（ケーブルテレビジョン）放送システムとの接続にも利用することができる。
【００４５】
すなわち、ＣＡＴＶ放送サービスでは、地上デジタル放送を受信して自局の放送チャンネルの一つに再送信することが予定されている。このような場合には、図４に示すように、本発明に係る中継伝送装置２５をＣＡＴＶ局に設置し、所定のケーブル放送チャンネルで伝送するための変調を施す変調器２６に接続する。
【００４６】
図４に示す中継伝送装置２５は、受信処理部と送出処理部とに大別される。
【００４７】
上記受信処理部において、受信アンテナ２５１で受けた受信信号は、チューナ部２５２で選局され、ＩＦ帯のＯＦＤＭ信号（以下、ＯＦＤＭ−ＩＦ信号）を得て、復調部２５３に供給される。この復調部２５３は、ＯＦＤＭ−ＩＦ信号をＦＦＴ（高速フーリエ変換）処理することによってデジタル放送信号を復調する。
【００４８】
この復調処理によって得られたデジタル放送信号は、番組などの放送内容であるＴＳ信号と、放送伝送制御信号であるＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号及びＡＣ（Ａｕｘｉｌｉａｒｙ  Ｃｈａｎｎｅｌ）信号の２つに分けられ、それぞれの復号部２５４、２５５に供給される。
【００４９】
ＴＳ信号は、ＴＳ復号部２５４に供給され、誤り訂正を含めた復号が行われる。これによって伝送中にノイズやフェージング等によって損傷を受けたデータが復元される。また、ＴＳ復号部２５４では、ＴＳ信号（放送波）には直接含まれない階層情報をＴＳの送信パターン等から再生成し、多重化処理部２５７に供給する。また、ＴＳ信号そのものは、ＰＳＩ／ＳＩ書換処理部２５６に供給され、ＮＩＴ（Ｎｅｔｗｏｒｋ  Ｉｎｆｏｒｍａｔｉｏｎ  Ｔａｂｌｅ）、ＴＯＴ（Ｔｉｍｅ  Ｏｆｆｓｅｔ  Ｔａｂｌｅ）を含むＰＳＩ（伝送制御情報）／ＳＩ（番組情報）を、ケーブルテレビジョン放送の形態に合わせて書き換えを行う。その処理後、多重化処理部２５７に供給される。また、階層伝送を行う場合、遅延時間が異なる時間インターバル長を階層ごとに選択することが可能であるが、このような場合には階層ごとの時間差に応じた処理を行う。
【００５０】
一方、ＴＭＣＣ信号とＡＣ信号は、ＴＳ信号とは別の復号部２５５により誤り訂正を含めた復号処理が行われ、多重化処理部２５７に供給される。
【００５１】
多重化処理部２５７は、再構成されたＴＳ信号、ＴＭＣＣ信号、ＡＣ信号、制御情報を時分割多重することで、３２．５Ｍｂｐｓの放送用ＴＳに再構成する。このとき、８．１３ＭＨｚの基準クロックとフレームパルスを受信放送波から再生し、再構成された放送用ＴＳと共に、ＣＡＴＶ用送信装置２５８に送られる。８．１３ＭＨｚの基準クロックは、ＣＡＴＶ用送信装置によっては、１０ＭＨｚなどの他の周波数に変換されてから送られる場合もある。
【００５２】
このＣＡＴＶ用送信装置２５８は、放送用ＴＳ、基準クロック及びフレームパルスを入力して地上波デジタル放送と同様のＯＦＤＭ方式による変調を行い、ＣＡＴＶが使用するチャンネルに周波数変換して、ケーブルを経由して各受信者宅に伝送する。このとき、各受信者宅では、受信チャンネルをＣＡＴＶ向けの周波数帯域に拡張した、地上波デジタル放送と共通の受信機を使用することにより、ケーブル伝送による地上波デジタル放送が受信可能となる。
【００５３】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【００５４】
【発明の効果】
以上のように本発明によれば、地上デジタル放送信号を受信点で再構成することが可能な地上デジタル放送受信処理装置と、この装置を利用してマイクロ回線等の別回線による多段接続を回避し、信号品質を維持しつつ中継伝送可能な地上デジタル放送中継伝送装置及びその中継伝送方法と、上記受信処理装置を利用して受信点での放送内容を全て収録可能な放送情報記録装置、さらにはケーブルテレビジョン放送への中継伝送に対応する地上デジタル放送中継伝送装置及びその中継伝送方法を提供することができる。
【図面の簡単な説明】
【図１】本発明の一実施形態に係る地上デジタル放送中継システムの構成を示すブロック図。
【図２】同実施形態において、中間中継局に配置される本発明に係る中継伝送装置の構成を示すブロック図。
【図３】本発明の他の実施形態としての中継伝送装置に用いられる受信系の構成を示すブロック図。
【図４】本発明の他の実施形態として、ＣＡＴＶ放送への中継伝送に対応する地上デジタル放送中継伝送装置の構成を示すブロック図。
【符号の説明】
Ａ…東京タワー
Ｂ…桐生中継局
Ｃ…前橋中継局
１１…受信アンテナ
１２…チューナ部
１３…復調部
１４…ＴＳ信号復号部
１５…ＴＭＣＣ／ＡＣ復号部
１６…ＴＯＴ書換処理部
１７…多重化処理部
１８…ＴＴＬ送信装置
１９…ＯＦＤＭ変調・送信装置
２０…放送信号収録装置
２１…ＴＴＬ送信アンテナ
２２…ＯＦＤＭ送信アンテナ
２３…ＩＦ受信アンテナ
２４…ＩＦ−ＴＴＬ受信装置
２５…ＣＡＴＶ放送対応中継伝送装置
２５１…受信アンテナ
２５２…チューナ部
２５３…復調部
２５４…ＴＳ信号復号部
２５５…ＴＭＣＣ／ＡＣ復号部
２５６…ＰＳＩ・ＳＩ書換処理部
２５７…多重化処理部
２５８…ＣＡＴＶ放送用送信装置
【図１】
2004194265.tif 000003
【図２】
2004194265.tif 000004
【図３】
2004194265.tif 000005
【図４】
2004194265.tif 000006